(57)【要約】【課題】食品を構成する食品情報を管理し、食品に関する法律や公的規則等の改正により表示方式を改正を必要とする場合にも、食品情報の改正を容易にし、表示領域に改正後の食品表示情報が表示領域内に印刷する方法、装置、プログラムを提供する。【解決手段】食品の構成材料を表示する食品情報表示システムにおいて、食品情報を記憶する食品情報記憶手段、食品を構成する構成材料を記憶する構成材料記憶手段と、食品の表示の方式を記憶するルール記憶手段を備えている食品情報表示装置であって、食品情報を入力する入力手段と、前記食品情報を食品記憶手段に記憶させると抽出・登録手段と、食品情報から構成材料を抽出し、この構成材料を構成材料記憶手段から抽出する構成材料抽出手段と、食品情報に関連する方式をルール記憶手段から抽出し、ルールに基づいて構成材料を組合わせて表示情報を作成する制御手段とを含む食品情報表示システム。【選択図】図１
2004287678.tif 000002
【特許請求の範囲】
【請求項１】
食品の構成材料を表示する食品情報表示システムにおいて、
食品情報を記憶する食品情報記憶手段、食品を構成する構成材料を記憶する構成材料記憶手段と、食品の表示の方式を記憶するルール記憶手段を備えている食品情報表示装置であって、
前記食品情報を入力する入力手段と、
前記食品情報を前記食品記憶手段に記憶させる登録手段と、
前記食品情報を構成している構成材料を抽出し、この構成材料を前記構成材料記憶手段から抽出する構成材料抽出手段と、
前記食品情報に関連するルールを前記ルール記憶手段から抽出し、前記ルールに基づいて前記構成材料を組合わせて表示情報を作成する制御手段と
を含む食品情報表示システム。
【請求項２】
前記食品情報に対応する前記表示情報を印刷するパッケージの表示領域を記憶する表示領域記憶手段を備えており、前記表示領域記憶手段に記憶された表示領域を抽出し、前記表示情報を前記表示領域に対応するように調整し、前記表示領域にレイアウトするレイアウト手段とを備えたことを特徴とする請求項１記載の食品情報表示システム。
【請求項３】
前記登録手段は、前記食品情報に基づいて上記各記憶手段に記憶された情報を登録、書替え、削除することを特徴とする請求項１または請求項２に記載の食品情報表示システム。
【請求項４】
食品の構成材料を表示する食品情報表示する方法において、食品情報を記憶する食品情報記憶手段、食品を構成する構成材料を記憶する構成材料記憶手段と、食品の表示の方式を記憶するルール記憶手段を用いる食品情報表示方法であって、前記食品情報を入力する入力ステップと、前記食品情報を前記食品記憶手段に記憶させると登録ステップと、前記食品情報を構成している構成材料を抽出するステップと、この構成材料を前記構成材料記憶手段から抽出する構成材料抽出ステップと、前記食品情報に関連する方式をルール記憶手段から抽出し、前記ルールに基づいて前記構成材料を組合わせて表示情報を作成する制御ステップとを含む食品情報表示方法。
【請求項５】
前記食品情報に対応する前記表示情報を印刷するパッケージの表示領域を記憶する表示領域記憶手段を備えており、前記表示領域記憶手段に記憶された表示領域を抽出し、前記表示情報を前記表示領域に対応するように調整し、前記表示領域にレイアウトするレイアウトステップとを備えたことを特徴とする請求項４記載の食品情報表示方法。
【請求項６】
前記抽出・登録ステップは、前記情報に基づいて上記記憶手段に記憶された情報を登録、書替え、削除することを特徴とする請求項１または請求項２に記載の食品情報表示方法。
【請求項７】
食品の構成材料を表示する食品情報表示システムにおいて、食品情報を記憶する食品情報記憶手段、食品を構成する構成材料を記憶する構成材料記憶手段と、食品の表示の方式を記憶するルール記憶手段を備えている食品情報表示装置を、食品情報を入力する入力手段と、前記食品情報を前記食品記憶手段に記憶させると登録手段と、前記食品情報を構成する構成材料を抽出し、この構成材料を前記構成材料記憶手段から抽出する構成材料抽出手段と、前記食品情報に関連する方式をルール記憶手段から抽出し、前記ルールに基づいて前記構成材料を組合わせて表示情報を作成する制御手段、として機能させることを特徴とする食品情報プログラムを記録したコンピュータ読取可能な記憶媒体。
【請求項８】
前記食品情報に対応する前記表示情報を印刷するパッケージの表示領域を記憶する表示領域記憶手段と、前記表示領域記憶手段に憶された表示領域を抽出し、前記表示情報を前記表示領域に対応するように調整し、前記表示領域にレイアウトするレイアウト手段を、機能させることを特徴とする請求項７記載の食品情報表示プログラムを記録したコンピュータ読取可能な記憶媒体。
【請求項９】
前記抽出・登録手段を、前記食品情報に基づいて上記記憶手段に記憶された情報を登録、書替え、削除として機能させることを特徴する請求項７または請求項８に記載の食品情報表示プログラムを記録したコンピュータ読取可能な記憶媒体。
【請求項１０】
食品の構成材料を表示する食品情報表示システムにおいて、食品情報を記憶する食品情報記憶手段、食品を構成する構成材料を記憶する構成材料記憶手段と、食品の表示の方式を記憶するルール記憶手段を備えている食品情報表示装置を、食品情報を入力する入力手段と、前記食品情報を前記食品記憶手段に記憶させると登録手段と、前記食品情報を構成する構成材料を抽出し、この構成材料を前記構成材料記憶手段から抽出する構成材料抽出手段と、前記食品情報に関連する方式をルール記憶手段から抽出し、前記ルールに基づいて前記構成材料を組合わせて表示情報を作成する制御手段、として機能させることを特徴とする食品情報プログラム。
【請求項１１】
前記食品情報に対応する前記表示情報を印刷するパッケージの表示領域を記憶する表示領域記憶手段と、前記表示領域記憶手段に憶された表示領域を抽出し、前記表示情報を前記表示領域に対応するように調整し、前記表示領域にレイアウトするレイアウト手段を、機能させることを特徴とする請求項１０記載の食品情報表示プログラム。
【請求項１２】
前記抽出・登録手段を、前記食品情報に基づいて上記記憶手段に記憶された情報を登録、書替え、削除として機能させることを特徴する請求項１０または請求項１１に記載の食品情報表示プログラム。
【発明の詳細な説明】
【０００１】
【発明の属する技術分野】
本発明は、内容物の表示を行う必要がある食品分野に関する表次項目の表示方法に関する。
【０００２】
【従来の技術】
従来、食品分野において、食品を構成する構成材料は、食品を包装するパッケージに表示されることが法律により決められている。本発明において構成材料とは、食品の原材料、香辛料、調味料、合成着色料、保存料等からなり、食品を構成しているものとする。
パッケージに表示される構成材料は、例えば、菓子パンを例に取れば、菓子パンを構成する構成材料の原材料、香辛料、合成着色表、保存料等がパッケージである外袋に印刷され表示されている。
また、近年、アレルギー誘発物質等の食品及び食品を構成する構成材料を詳細にパッケージに表示する必要が生じている。
本発明においてパッケージは、食品を包装するパッケージ自体、構成材料が印刷されたラベル等も含むこととし、食品を包装して構成材料が印刷されている物を含むこととする。
【０００３】
食品を構成する構成材料のデータは、データベースで管理されている。このデータベースでは、食品を構成する全ての構成材料毎に記憶している。また、複数の食品からなるサラダ、ソーセージ入りピザなどの加工食品も、これらの食品を構成する全構成材料が記憶されている。
【０００４】
また、食品を構成する構成材料を表示する表示領域の大きさは、表示領域の大きさに対して文字の大きさが決るのではなく、文字の最小の大きさが法規制により決っているので、食品を構成する構成材料の情報量により表示領域の大きさが決る。
この表示領域は、食品自体の大きさや、食品のパッケージデザインを制約する。そのため、法規制に合う最小の文字で構成材料の説明を行ようにしても、食品のパッケージを制約しないような表示領域の大きさに合わせることは非常に困難であった。
表示領域とは、食品に関する情報がレイアウトされる領域であり、食品パッケージに情報が印刷される領域を含むものとする。
【０００５】
【発明が解決しようとする課題】
食品の構成材料の表示方法は法規定により定められており、通常、食品に関連するデータは法律に対応して分類されて記憶されている。
近年、これまで安全と考えられてきた食品について、その安全神話を崩壊させる問題が多発し、食品を購入する消費者は不安を抱いている。このような不安を解消するために食品に関する法律や公的規制が改正・追加されることが多く、法律や公的規則等の改正にしたがって食品のパッケージに印刷される食品に関連する表示の方式、表示方法やデータの記憶の管理方法を変更する必要が生じる。
また、アレルギー過敏体質の人が増えており、アレルギー誘発物質の表示を詳細にすることが望まれており、近年、上述したように法律や公的規則等の改正が行われ、食品のパッケージやラベルに印刷される食品に関連する表示の方式、表示方法やデータの記憶の管理方法を変更する必要が生じている。
【０００６】
また、食品を構成する構成材料の中の主要な原材料と、香辛料、合成着色表、保存料のように少量しか含まれない構成材料とがほぼ同じ大きさの文字で表示領域に印刷されるので、どのような構成材料が一番多く含まれているかを判断することができなかった。また、構成材料が多く含まれている食品の場合は、アレルギー誘発物質が含まれていていても表示されない場合があり、アレルギー誘発物質が含まれていることを知らず食品を食べてしまい、急性アレルギー中毒を発生する場合があった。特に少量しかアレルギー誘発物質が含まれていないような場合は、上述したようなことが起こることがあった。
【０００７】
このように、食品分野において、法改正により、加工食品等に所定の様式による表示の仕方が義務づけられたり、また、遺伝子組替え構成材料が使用されることによる表示の仕方の変更や、アレルギー表示に関する法改正により構成材料等の表示義務が追加されるなど、表示のやり方が法改正により頻繁に変更されるので、その改正にしたがって対応する必要が生じた。
また、改正に基づいて表示方法を変更したり、この改正に基づいて食品の構成材料の分類の仕方を変える必要が生じて、食品毎にデータベースの記憶の方式やデータ自体の変更を行う必要が生じる。そして、オペレータは食品毎に一つ一つのデータを変更することになり、手間がかかると共に、誤まりも増加し、十分に対応することができなかった。
さらに、変更された食品の構成材料の表示データを表示領域に合わせて再度レイアウトする必要が生じたが、表示領域と表示データを再度合わせる必要があった。
【０００８】
本発明は、上記課題に鑑みてされたものであり、食品を構成する食品情報を管理し、食品に関する法律や公的規則等の改正により表示のやり方の変更を必要とする場合にも、食品情報の表示のやり方の変更を容易にすると共に、表示領域に改正後の食品表示情報が表示領域内に印刷されることを特徴とする方法、装置、プログラムを提供するものである。
【０００９】
【課題を解決するための手段】
上記課題を解決するための本発明の請求項１に記載された発明は、食品の構成材料を表示する食品情報表示システムにおいて、食品情報を記憶する食品情報記憶手段、食品を構成する構成材料を記憶する構成材料記憶手段と、食品の表示の方式を記憶するルール記憶手段を備えている食品情報表示装置であって、食品情報を入力する入力手段と、前記食品情報を前記食品記憶手段に記憶させると登録手段と、前記食品情報を構成する構成材料を抽出し、この構成材料を前記構成材料記憶手段から抽出する構成材料抽出手段と、前記食品情報に関連する方式をルール記憶手段から抽出し、前記ルールに基づいて前記構成材料を組合わせて表示情報を作成する制御手段とを含む食品情報表示システムである。
【００１０】
また、請求項２に記載された発明は、前記食品情報に対応する前記表示情報を印刷するパッケージの表示領域を記憶する表示領域記憶手段を備えており、前記表示領域記憶手段に記憶された表示領域を抽出し、前記表示情報を前記表示領域に対応するように調整し、前記表示領域にレイアウトするレイアウト手段とを備えたことを特徴とする請求項１記載の食品情報表示システムである。
【００１１】
また、請求項３に記載された発明は、前記抽出・登録手段は、前記食品情報に基づいて上記各記憶手段に記憶された情報を登録、書替え、削除することを特徴とする請求項１または請求項２に記載の食品情報表示システムである。
【００１２】
また、請求項４に記載された発明は、食品の構成材料を表示する食品情報表示する方法において、食品情報を記憶する食品情報記憶手段、食品を構成する構成材料を記憶する構成材料記憶手段と、食品の表示の方式を記憶するルール記憶手段を用いる食品情報表示方法であって、食品情報を入力する入力ステップと、前記食品情報を前記食品記憶手段に記憶させる登録ステップと、前記食品情報から構成材料を抽出し、この構成材料を構成する構成材料を前記構成材料記憶手段から抽出する構成材料抽出ステップと、前記食品情報に関連する方式をルール記憶手段から抽出し、前記ルールに基づいて前記構成材料を組合わせて表示情報を作成する制御ステップとを含む食品情報表示方法である。
【００１３】
また、請求項５に記載された発明は、前記食品情報に対応する前記表示情報を印刷するパッケージの表示領域を記憶する表示領域記憶手段を備えており、前記表示領域記憶手段に記憶された表示領域を抽出し、前記表示情報を前記表示領域に対応するように調整し、前記表示領域にレイアウトするレイアウトステップとを備えたことを特徴とする請求項４記載の食品情報表示方法である。
【００１４】
また、請求項６に記載された発明は、前記抽出・登録ステップは、前記情報に基づいて上記記憶手段に記憶された情報を登録、書替え、削除することを特徴とする請求項１または請求項２に記載の食品情報表示方法である。
【００１５】
また、請求項７に記載された発明は、食品の構成材料を表示する食品情報表示システムにおいて、食品情報を記憶する食品情報記憶手段、食品を構成する構成材料を記憶する構成材料記憶手段と、食品の表示の方式を記憶するルール記憶手段を備えている食品情報表示装置を、食品情報を入力する入力手段と、前記食品情報を前記食品記憶手段に記憶させると抽出・登録手段と、前記食品情報から構成材料を抽出し、この構成材料を前記構成材料記憶手段から抽出する構成材料抽出手段と、前記食品情報に関連する方式をルール記憶手段から抽出し、前記ルールに基づいて前記構成材料を組合わせて表示情報を作成する制御手段、として機能させることを特徴とする食品情報プログラムを記録したコンピュータ読取可能な記憶媒体である。
【００１６】
また、請求項８に記載された発明は、前記食品情報に対応する前記表示情報を印刷するパッケージの表示領域を記憶する表示領域記憶手段と、前記表示領域記憶手段に憶された表示領域を抽出し、前記表示情報を前記表示領域に対応するように調整し、前記表示領域にレイアウトするレイアウト手段を、機能させることを特徴とする請求項７記載の食品情報表示プログラムを記録したコンピュータ読取可能な記憶媒体である。
【００１７】
また、請求項９に記載された発明は、前記抽出・登録手段を、前記食品情報に基づいて上記記憶手段に記憶された情報を登録、書替え、削除として機能させることを特徴する請求項７または請求項８に記載の食品情報表示プログラムを記録したコンピュータ読取可能な記憶媒体である。
【００１８】
また、請求項１０に記載された発明は、食品の構成材料を表示する食品情報表示システムにおいて、食品情報を記憶する食品情報記憶手段、食品を構成する構成材料を記憶する構成材料記憶手段と、食品の表示の方式を記憶するルール記憶手段を備えている食品情報表示装置を、食品情報を入力する入力手段と、前記食品情報を前記食品記憶手段に記憶させると抽出・登録手段と、前記食品情報から構成材料を抽出し、この構成材料を前記構成材料記憶手段から抽出する構成材料抽出手段と、前記食品情報に関連する方式をルール記憶手段から抽出し、前記ルールに基づいて前記構成材料を組合わせて表示情報を作成する制御手段、として機能させることを特徴とする食品情報プログラムである。
【００１９】
また、請求項１１に記載された発明は、前記食品情報に対応する前記表示情報を印刷するパッケージの表示領域を記憶する表示領域記憶手段と、前記表示領域記憶手段に憶された表示領域を抽出し、前記表示情報を前記表示領域に対応するように調整し、前記表示領域にレイアウトするレイアウト手段を、機能させることを特徴とする請求項１０記載の食品情報表示プログラムである。
【００２０】
また、請求項１２に記載された発明は、前記抽出・登録手段を、前記食品情報に基づいて上記記憶手段に記憶された情報を登録、書替え、削除として機能させることを特徴する請求項１０または請求項１１に記載の食品情報表示プログラムである。
【００２１】
【発明の実施の形態】
次に、本発明の実施の形態について図面に基づいて説明する。なお、本実施例では食品を包装するパッケージを作成するため、食品情報表示システムについて説明するが、各構成がインターネットなどにより接続されている場合も含むこととする。
図１は本発明の食品情報表示システムを実現するコンピュータシステムの実施例の構成図を示す。図１において、コンピュータシステム１は、入力装置１０１、抽出・登録装置１０２、構成材料抽出装置１０３、制御装置１０４、レイアウト装置１０５、出力装置１０６及び食品情報データベース１０７、構成材料データベース１０８、ルールデータベース１０９、表示領域データベース１１０とで構成されている。
【００２２】
入力装置１０１は、コンピュータシステム１の使用者が操作するキーボード、マウス等で構成され、コンピュータシステム１に各種操作信号を入力するために用いられる。出力装置１０６は、コンピュータシステム８を操作するのに必要な各種ウインドウやデータ等を表示し、さらに、コンピュータシステム１の処理結果の食品情報をパッケージに印刷して出力する印刷機・プリンターをも含むものである。
【００２３】
次いで、データベースに記憶されている情報を以下に説明する。
食品に関する食品情報は食品情報データベース１０７に記憶されている。この食品情報データベース１０７に記憶されている情報は、図２に記憶されているように、食品を構成する構成材料が記憶されており、例えば、食品名からあげＢを構成する材料はとりもも肉、卵、醤油Ａ、醤油Ｂ等からなり、からあげＢを構成する構成材料が全て記憶されている。また、食品名称および構成材料には、分類を行うことができる食品ＩＤが付与さている。また、本実施例では明示していないが、食品情報データベース１０７に記憶される食品情報は、食品１００ｇ当たりの構成材料のｇ数を付与しているので、食品に対応して構成材料がどの程度の割合で含まれているのかを容易に得ることができる。
【００２４】
前記構成材料を構成する構成材料（成分）は構成材料データベース１０８に記憶されている。この構成材料データベース１０８に記憶されている情報は、図３に記憶されているように、構成材料を構成する構成材料（成分）が記憶されている。また、食品名称および構成材料には、分類を行うことができる食品ＩＤが付与さている。例えば、前記からあげＢを構成する醤油Ａ、醤油Ｂの構成材料が記載されており、例えば、醤油Ａは国産産大豆、有機国産小麦粉、ハーブなどから製造されており、醤油Ｂは米国産大豆、有機国産小麦粉、魚しょうなどから製造されているように醤油Ａ、醤油Ｂを構成する全ての構成材料（成分）が全て記憶されている。
【００２５】
また、食品表示のルールに対応する法規定はルールデータベース１０９に記憶されている。このルールーデータベース１０９に記憶されている情報は、図４に記憶されているように、食品表示に関連する法規定であ。
【００２６】
また、処理された食品情報を表示するパッケージの大きさ、食品を包装すパッケージの大きさ、食品を包装するパッケージのデザインが表示領域データベース１１０に記憶されている。この表示領域データベース１１０に記憶されている情報は、図５に記載されているように、包装パッケージ関連する情報である。
【００２７】
次いで、図６に記載されている処理のフローチャートを用いて、処理の流れを説明する。
ステップ６０１
本システムの使用者は出力装置１０６であるディスプレイに入力画面を表示させ、入力装置１０１であるディスプレイ、マウスにより食品名称および構成材料を入力する。例えば、からあげＢでは、とりもも肉、卵、醤油Ａ、醤油Ｂ等である。
また、入力の際、食品名称および構成材料には、分類を行うことができる食品ＩＤが付して入力する。なお、この食品ＩＤは抽出・登録装置で入力された食品名称または構成材料に自動で付与されるように設定することもできる。
【００２８】
ステップ６０２
次いで、入力装置１０１から食品ＩＤが付与された食品名称および構成材料が入力されると、抽出・登録装置１０２は食品構成データベース１０７に上記情報を記憶させると共に、構成材料抽出装置１０８に送信する。
【００２９】
ステップ６０３
次いで、構成材料抽出装置１０３は構成材料に付与されている食品ＩＤに基づいて構成材料データベース１０８に記憶されている構成要素を抽出する。例えば、からあげＢに関して構成材料データベース１０８に記憶されているのは醤油Ａと醤油Ｂであり、これらの構成要素である材料が抽出される。
【００３０】
ステップ６０４
次いで、制御手段１０４は食品名称に付与されたＩＤから食品の表示に必要となるルールをルールデータベース１０９から抽出し、このルールに従って食品構成材料および構成要素を組合わせることにより、図７のような表示情報を作成し、レイアウト装置に表示情報を送信する。
本実施例では、表示情報を作成するルールデータベース１０９から抽出されたルールは、同一の構成要素を対比させ、同一の要素は統合させ、次いで、１００ｇ当たりの重量により表示される順番が決められ、調味料、合成着色料、合成保存料は全て表示されるというルールである。このルールに従って、まず、構成要素を醤油Ａと醤油Ｂの要素を対比させ、同一の要素を統合させる。次いで、食品構成材料および食品要素を組合わせ、１００ｇ当たりの重量により順序を決め、調味料、合成着色料、合成保存料は全て表示すると、図７に記載されるような表示情報が作成される。
【００３１】
ステップ６０５
次いで、レイアウト装置１０７は表示領域データベース１１０から表示情報を印刷する領域範囲を抽出し、表示情報のデータ量と領域範囲を対比させ、領域範囲に表示情報を印刷できるようにデータ量の変更を行い、変更後の表示情報を領域範囲にレイアウトする。
なお、レイアウトされた表示情報は出力手段に送信され、出力装置１０６であるディスプレイに表示されることで処理を終了させることもできる。あるいは、出力装置１０６に表示された表示情報を上記使用者が微調整することにより処理を終了させることもできる。
【００３２】
ステップ６０６
次いで、レイアウト装置１０７は表示領域データベース１１０から食品を包装するパッケージデザインを抽出し、パッケージデザインの表示領域に前記表示情報を貼り付け、前記表示情報を貼り付けたパッケージデザインを出力装置に送信する。
ステップ６０７
次いで、出力装置１０６であるディスプレイに前記前記表示情報を貼り付けたパッケージデザインが表示されることにより、処理は終了する。
【００３３】
なお、入力装置１０１から入力される情報は上述した内容に限定されることはなく、食品情報データベース１０７、構成材料データベース１０８、ルールデータベース１０９、表示領域データベース１１０に記憶されたデータを変更、削除することができる。
よって、食品情報データベース１０７に記憶されている食品の構成材料を変更すれば構成材料データベース１０８を変更しなくとも上記表示情報を変更、削除することができる。また、構成材料データベース１０８に記憶されている食品の構成材料を変更すれば食品情報データベース１０７を変更しなくても上記表示情報を変更、削除することができる。
【００３４】
また、本実施例では、コンピュータシステムを用いて処理の説明をしたが、インターネットのようなネットワークを用いて同様の処理を行えるということは言うまでもない。つまり、入力装置１０１、出力装置１０６をクライアント側の端末として、抽出・登録装置１０２、構成材料抽出装置１０３、制御装置１０４、レイアウト装置１０５、食品情報データベース１０７、構成材料データベース１０８、ルールデータベース１０９、表示領域データベース１１０をサーバとすればよい。
【００３５】
【発明の効果】
以上説明したように、本発明によれば、法律や規則の改正に厳密に対応しなくてはならない食品情報の表示において、法律や規則の改正に対応して食品情報を改正できるとともに、改正により食品情報のデータ量が変化していても、表示される食品情報を改正に対応して変更できる。
【００３６】
また、本発明によれば、食品情報を変更させる場合に、食品情報を一つ変更すれば、関連する食品情報が自動に変更するので、食品情報の変換が容易になり、変更の誤まりを無くすことができる。
【図面の簡単な説明】
【図１】本発明の一実施例のブロック図である。
【図２】本発明の食品情報データベースの一実施例である。
【図３】本発明の構成材料データベースの一実施例である。
【図４】本発明のルールデータベースの一実施例である。
【図５】本発明の表示領域データベースの一実施例である。
【図６】本発明の処理の流れを示すフローチャートの一実施例例である。
【図７】本発明の表示情報の一実施例である。
【符号の説明】
１…コンピュータシステム
１０２：抽出・登録装置
１０３：構成材料抽出装置
１０４：制御装置
１０５：レイアウト装置
１０７：食品情報データベース
１０８：構成材料データベース
１０９：ルールデータベース
１１０：表示領域データベース
【図１】
2004287678.tif 000003
【図２】
2004287678.tif 000004
【図３】
2004287678.tif 000005
【図４】
2004287678.tif 000006
【図５】
2004287678.tif 000007
【図６】
2004287678.tif 000008
【図７】
2004287678.tif 000009